(57)【要約】【課題】無線通信ゲートウェイ群に設置された局舎において、全ての電源がダウンしてしまう状況を想定した冗長構成技術を提供する。【解決手段】ＥＭＳ８から無線通信ゲートウェイ（１４，１６）とＢＳ７へ定期的にヘルスチェックを行うステップと、取得した情報から局舎内の全ての無線通信ゲートウェイ（１４，１６）が異常のため局舎電源ダウンと判断するステップ、異常となった無線通信ゲートウェイに集約されていたＢＳ７に正常な無線通信ゲートウェイ（１４，１６）を宛先として登録するステップとを実行することで、無線通信ゲートウェイ（１４，１６）が設置された局舎が電源ダウンという事態が発生した場合でも、適正に通信システム１００を維持できる。【選択図】図１
2010157888.tif 000002
【特許請求の範囲】
【請求項１】
無線端末と通信する複数の無線基地局及び当該無線基地局のゲートウェイとして機能する複数のゲートウェイ装置を監視する通信管理装置であって、
前記無線基地局及び前記ゲートウェイ装置のヘルスチェックを実行するヘルスチェック処理手段と、
前記ヘルスチェックの結果、前記ゲートウェイ装置に異常が発生したと推定されるときに、前記ゲートウェイ装置に集約されている前記無線基地局のヘルスチェックを実行して、前記無線基地局からの応答があった場合に、前記ゲートウェイ装置に異常が発生していると判断する異常判断手段と、
を備えていることを特徴とする通信管理装置。
【発明の詳細な説明】
【技術分野】
【０００１】
本発明は、通信管理装置に係り、通信基地局と、その通信基地局を集約して建物内に設置されたゲートウェイとして機能するゲートウェイ装置を管理する通信管理装置に関する。
【背景技術】
【０００２】
近年、通信システムにおいて、多種の無線通信方式や有線通信方式によるインターネットやＬＡＮ（Local Area Network）等のネットワークが急速に普及しており、それらネットワークを用いた様々なデータ送受信の技術が開発されている。そして現状、無線通信ゲートウェイ群に設置された局舎においてはＵＰＳ（Uninterruptible Power Systems：無停電電源装置）等のバックアップ電源、耐震性強化、防火性強化がなされ、無線通信システムがダウンしないように冗長化がなされている。
【０００３】
その様な冗長化の技術には様々なものが提案されているが、例えば、複数のゲートウェイ装置からの応答パケットを選択的にユーザ端末に転送する機能を備えた冗長化技術がある（例えば、特許文献１参照）。この技術では、ユーザ端末に通信制御用の特殊なソフトウェアを実装することなく、アクセス網をインターネット中継網に接続するゲートウェイ装置の冗長化を可能としている。また、この技術で提案されているパケット転送装置は、プロトコル処理部に、通信プロトコルの識別機能を備えることによって、同一のレイヤのアクセス網に、例えば、ＰＰＰｏＥ端末とＩＥＥＥ８０２．１ｘにおけるＥＡＰＯＬ端末のように、通信プロトコルの異なる複数種類のユーザ端末の混在を可能としている。
【特許文献１】特開２００７−３３５９４５号公報
【発明の開示】
【発明が解決しようとする課題】
【０００４】
ところで、従来技術においては、無線通信ゲートウェイ群に設置された局舎においてはＵＰＳ等のバックアップ電源、耐震性強化を行っているが、局舎内の全ての電源がダウンしてしまうことは想定されていない。例えば、直下型地震等などの不測の事態が想定されていない。
【０００５】
本発明は、このような状況に鑑みてなされたもので、上記課題を解決して、通信ゲートウェイが設置された局舎において、全ての電源がダウンしてしまう状況を想定した冗長構成技術を提供することを目的とする。
【課題を解決するための手段】
【０００６】
本発明に係る装置は、無線端末と通信する複数の無線基地局及び当該無線基地局のゲートウェイとして機能する複数のゲートウェイ装置を監視する通信管理装置であって、前記無線基地局及び前記ゲートウェイ装置のヘルスチェックを実行するヘルスチェック処理手段と、前記ヘルスチェックの結果、前記ゲートウェイ装置に異常が発生したと推定されるときに、前記ゲートウェイ装置に集約されている前記無線基地局のヘルスチェックを実行して、前記無線基地局からの応答があった場合に、前記ゲートウェイ装置に異常が発生していると判断する異常判断手段と、を備えている。
【発明の効果】
【０００７】
以上、本発明によると、通信ゲートウェイが設置された局舎において、全ての電源がダウンしてしまう状況を想定した冗長構成技術を実現できる。
【発明を実施するための最良の形態】
【０００８】
次に、本発明を実施するための最良の形態（以下、単に「実施形態」という）を、図面を参照して具体的に説明する。以下に説明する実施形態では、ＥＭＳ（Element Management System；要素管理システム）から無線通信ゲートウェイと無線通信基地局へ定期的にヘルスチェックを行うステップと、取得した情報から局舎内の全ての無線通信ゲートウェイが異常のため局舎電源ダウンと判断するステップ、正常な無線通信ゲートウェイ群へ無線通信基地局群を宛先登録するステップと、により無線通信ゲートウェイが設置された局舎が電源ダウンという事態において冗長構成方法を提供する。これによって、ＥＭＳは無線通信ゲートウェイ群が設置されている局舎が電源ダウンしてゲートウェイ障害が発生した場合や無線通信基地局の設置工事及び増設工事があった場合に、管理下の無線通信ゲートウェイ装置群の中からいくつかの条件に照らして自動で無線通信基地局に対し正常な無線通信ゲートウェイ装置のアドレスを割り振っていく処理手段を設けることでシステムコストアップなく冗長構成ができるようになる。
【０００９】
＜第１の実施形態＞
図１は、本実施形態に係る通信システム１００の構成例を示す図である。通信システム１００は、複数の無線通信基地局７（以下、「ＢＳ７」と称する）と、ＥＭＳ８と、複数の無線通信ゲートウェイ１０とを備え、広域イーサネット（登録商標）網６に接続されている。
【００１０】
ＢＳ７は、無線による伝送路１１によって無線通信端末（以下、「ＭＳ９」と称する）と接続される。ＭＳ９は、ＢＳ７及びＢＳ７が集約されている後述のゲートウェイ（１４，１６）を介して、広域イーサネット網６に接続される外部ネットワーク６ｂ（インターネット等）にアクセスする。
【００１１】
無線通信ゲートウェイ１０は、スイッチカード１、ＣＰＵカード２、管理カード３、電源４及びファン５を装備して、後述する無線通信ゲートウェイ装置（１４、１６）に相当する。この無線通信ゲートウェイ１０は、一般的な構成で実現できるので、詳細な説明は省略する。無線通信ゲートウェイ１０、ＥＭＳ８及びＢＳ７は広域イーサネット網６により接続されており、インターネットの伝送路１２で接続されている。
【００１２】
図２は、図１の通信システム１００を、ＥＭＳ８の機能ブロックと、第１のエリアＡのＢＳ７群のゲートウェイとして機能する第１無線通信ゲートウェイ群１３と、第２のエリアＢのＢＳ７群のゲートウェイとして機能する第２無線通信ゲートウェイ群１５に着目して示した図である。図示のように、第１無線通信ゲートウェイ群１３は、複数の第１無線通信ゲートウェイ装置１４により構成されており、同様に、第２無線通信ゲートウェイ群１５は複数の第２無線通信ゲートウェイ装置１６から構成されている。第１無線通信ゲートウェイ装置１４及び第２無線通信ゲートウェイ装置１６は、図１の無線通信ゲートウェイ１０で示した要素により構成されて同様の機能を実現している。第１無線通信ゲートウェイ装置１４や第２無線通信ゲートウェイ装置１６は、所定数のＢＳ７を集約して無線リソース管理やＭＳ９がＢＳ７の通信カバーエリアを越えて別のＢＳ７の通信カバーエリアに入るためのハンドオーバ機能をサポートするためのセッション管理などを行い、所定の局舎に収容されている。
【００１３】
ＥＭＳ８は、ＢＳ７及び無線通信ゲートウェイ（第１無線通信ゲートウェイ装置１４や第２無線通信ゲートウェイ装置１６）を管理する。そのため、ＥＭＳ８は、一般的なＥＭＳとしての機能を実行するとともに、本実施形態に特徴的な機能として、第１無線通信ゲートウェイ装置１４や第２無線通信ゲートウェイ装置１６が収容されている局舎において局舎全体の電源ダウンなどの異常発生を検知して、ＢＳ７とＭＳ９の通信を確保する冗長システム機能を実行する。
【００１４】
そこで、ＥＭＳ８は、ＧＷヘルスチェック部８１と、ＢＳヘルスチェック部８２と、異常判断部８３と、宛先設定部８４と、再起動指示部８５と、迂回経路提示部８６と、通信中断通知部８７とを備える。ＧＷヘルスチェック部８１は、第１無線通信ゲートウェイ装置１４や第２無線通信ゲートウェイ装置１６に対してポーリングによりヘルスチェックを行う。ＢＳヘルスチェック部８２は、ＢＳ７に対してポーリングによりヘルスチェックを行う。一般に、ネットワークに接続される各機器には、ＰＩＮＧ（Packet INternet Groper）と呼ばれるネットワーク診断機能がデフォルトで備わるので、その様な機能を使用することでヘルスチェックは実現できる。
【００１５】
異常判断部８３は、ＧＷヘルスチェック部８１及びＢＳヘルスチェック部８２のヘルスチェックの結果をもとに、第１無線通信ゲートウェイ装置１４、第２無線通信ゲートウェイ装置１６及びそれらをゲートウェイに設定しているＢＳ７に異常があるか無いかを判断する。宛先設定部８４は、ＢＳ７のゲートウェイ（１４，１６）に異常が発生している場合に、異常が発したゲートウェイ（１４，１６）に集約されていたＢＳ７に対して、正常な別のゲートウェイ（１４，１６）を新たな宛先として設定するように指示する。再起動指示部８５は、ＢＳ７に対してＢＳ７が別のゲートウェイを新たな宛先と設定したら再起動するように指示する。迂回経路提示部８６は、ゲートウェイ（１４，１６）に異常が発生した場合に、所定の表示パネルに対して、ゲートウェイ（１４，１６）を正常または異常を判別可能に表示すると共に、新たなゲートウェイのとして設定すべき宛先の候補を表示する。通信中断通知部８７は、宛先であるゲートウェイを変更するＢＳ７を経由してデータ送信中のＭＳ９に通信中断を通知する。
【００１６】
つづいて、第２無線通信ゲートウェイ群１５に異常が発生していると判断した場合の通信システム１００の処理についてフローチャートをもとに説明する。図３は、第２無線通信ゲートウェイ群１５に異常が発生したときにＢＳ７のゲートウェイを変更する処理に関するフローチャートである。なお、以下の図３、４、６のフローチャートでは、ゲートウェイ装置を「ＧＷ」と表記している。
【００１７】
まず、ＥＭＳ８のＧＷヘルスチェック部８１は定期的にヘルスチェックを行い（Ｓ２１）、第２無線通信ゲートウェイ群１５の全ての第２無線通信ゲートウェイ装置１６から応答があるか無いかを判断する（Ｓ２２）。第２無線通信ゲートウェイ群１５のいずれかの第２無線通信ゲートウェイ装置１６から応答があれば（Ｓ２２のＮ）、異常判断部８３は第２無線通信ゲートウェイ群１５を収容する局舎には異常が無いと判断し（Ｓ２３）、第２無線通信ゲートウェイ群１５を収容する局舎異常を判断するためのヘルスチェックは終了する。
【００１８】
Ｓ２２のステップで、第２無線通信ゲートウェイ群１５の全ての第２無線通信ゲートウェイ装置１６から応答が無い場合（Ｓ２２のＹ）、ＥＭＳ８の異常判断部８３は、第２無線通信ゲートウェイ群１５を収容する局舎に異常の発生の可能性があると判断して、その判断を受けてＢＳヘルスチェック部８２は、第２無線通信ゲートウェイ群１５の第２無線通信ゲートウェイ装置１６をゲートウェイとしている第２のエリアＢのＢＳ７に対してヘルスチェックを行う（Ｓ２４）。
【００１９】
第２のエリアＢのＢＳ７から応答があった場合（Ｓ２５のＹ）、異常判断部８３は第２無線通信ゲートウェイ群１５を収容する局舎に電源ダウンなどの異常が発生していると判断する（Ｓ２６）。Ｓ２６のステップで電源ダウンなどの異常が発生していると判断した場合には、迂回経路提示部８６は、ＥＭＳ８のオペレータに対して第２のエリアＢのＢＳ７が集約されるゲートウェイを所定の表示パネルに正常または異常を判別可能に表示すると共に、新たなゲートウェイのとして設定すべき宛先の候補をオペレータからの指定により取得する（Ｓ２７）。具体的には、迂回経路提示部８６は、表示パネルに迂回経路と、その迂回路に対して「承認する」、「承認しない」、「変更する」のいずれを選択可能に提示する。オペレータが提示された迂回路を承認する場合、次の処理に進む。オペレータが「承認しない」場合は、迂回経路提示部８６は、新たな経路（図示せず）をオペレータに対して提示する。オペレータが「変更する」を選択した場合、迂回経路提示部８６は、迂回ルートの提示画面に対するオペレータからの手作業でルート変更を取得する。
【００２０】
なお、迂回経路提示部８６は、オペレータに提示することなく、または、オペレータから所定期間の指示が無いい場合は、あらかじめ設定されている迂回経路設定プロセスによって自動的に、第２のエリアＢのＢＳ７の迂回路を設定してもよい。本実施形態では、第２のエリアＢから第１のエリアＡへの冗長構成について説明するが、各エリアのゲートウェイの処理状況（ＣＰＵ使用率など）に応じて、他のエリアのゲートウェイ装置に宛先変更することもでき、その様な冗長構成については第２の実施形態で後述する。
【００２１】
そして、ＥＭＳ８の宛先設定部８４は、ＢＳ７に対して第２無線通信ゲートウェイ群１５の第２無線通信ゲートウェイ装置１６の代わりに、第１無線通信ゲートウェイ群１３の第１無線通信ゲートウェイ装置１４に宛先であるゲートウェイを設定するように指示し、つづいて、再起動指示部８５がＢＳ７に対して再起動を指示する（Ｓ２８）。同時に、通信中断通知部８７は、宛先であるゲートウェイを変更する第２のエリアのＢＳ７を経由してデータ送信中のＭＳ９に対して通信中断を通知する（Ｓ２９）。なお、Ｓ２５のステップで、第２のエリアＢのＢＳ７から応答が無い場合（Ｓ２５のＮ）、ＥＭＳ８の異常判断部８３は、第２のエリアＢのＢＳ７が稼働していないことをＥＭＳ８の管理者に通知する（Ｓ３０）。
【００２２】
第２のエリアＢのＢＳ７は、再起動後、第１無線通信ゲートウェイ群１３の第１無線通信ゲートウェイ装置１４と通信を開始する。これによって、第２無線通信ゲートウェイ群１５の第２無線通信ゲートウェイ装置１６に集約されていたＢＳ７は、第１無線通信ゲートウェイ群１３の第１無線通信ゲートウェイ装置１４に集約されるため、第２のエリアＢのＢＳ７は、ＭＳ９の通信を正常に中継することができる。
【００２３】
次に、第２のエリアＢのゲートウェイ障害（局舎電源ダウン）から復旧するときの処理について説明する。図４は、第２無線通信ゲートウェイ群１５の異常が回復した場合の処理に関するフローチャートである。
【００２４】
ＥＭＳ８のＧＷヘルスチェック部８１は、上述同様に定期的に第１無線通信ゲートウェイ群１３の第１無線通信ゲートウェイ装置１４や、第２無線通信ゲートウェイ群１５の第２無線通信ゲートウェイ装置１６に対してヘルスチェックを行う（Ｓ４１）。
【００２５】
ＧＷヘルスチェック部８１は、第２無線通信ゲートウェイ群１５の第２無線通信ゲートウェイ装置１６からヘルスチェックに対する応答の有無を監視する（Ｓ４２）。応答が無い場合は（Ｓ４２のＮ）、局舎異常（ゲートウェイ障害）が継続中であると判断し、第２のエリアＢのＢＳ７のゲートウェイを第１無線通信ゲートウェイ装置１４に変更した状態を維持する（Ｓ４３）。
【００２６】
第２無線通信ゲートウェイ装置１６から応答があると（Ｓ４２のＹ）、異常判断部８３は、第２のエリアＢのＢＳ７を集約すべき第２無線通信ゲートウェイ群１５の第２無線通信ゲートウェイ装置１６が収容されている局舎の電源ダウンなどの異常が復旧したと判断する（Ｓ４４）。そして、迂回経路提示部８６は、オペレータに第２無線通信ゲートウェイ装置１６が復旧した旨を通知し、さらに、第１無線通信ゲートウェイ装置１４から第２無線通信ゲートウェイ装置１６への変更ルートを提示し、オペレータからの指示を取得する（Ｓ４５）。具体的には、上述のＳ２７のステップと同様の処理がなされ、迂回経路提示部８６は、表示パネルに復帰経路と、その復帰経路に対して「承認する」、「承認しない」、「変更する」のいずれを選択可能に提示する。オペレータが提示された迂回路を承認する場合、次の処理に進む。オペレータが「承認しない」場合は、迂回経路提示部８６は、新たな経路をオペレータに対して提示する。オペレータが「変更する」を選択した場合、迂回経路提示部８６は、復帰ルートの提示画面に対するオペレータからの手作業でルート変更を取得する。なお、第１無線通信ゲートウェイ装置１４から第２無線通信ゲートウェイ装置１６への変更として、段階的に復帰を行う変更ルートが提示されてもよい。つまり、第２のエリアＢの全てのＢＳ７に対して同時に復帰指示を行うのではなく、所定期間をおいて順次復帰指示がなされてもよい。
【００２７】
そして、ＥＭＳ８の宛先設定部８４は、第２のエリアＢのＢＳ７に対して第２無線通信ゲートウェイ群１５の第２無線通信ゲートウェイ装置１６に宛先設定を戻すように指示し、つづいて、再起動指示部８５がＢＳ７に対して再起動を指示する（Ｓ４６）。同時に、通信中断通知部８７は、宛先であるゲートウェイを変更する第２のエリアのＢＳ７を経由してデータ送信中のＭＳ９に対して通信中断を通知する（Ｓ４７）。このようにして、局舎の電源ダウンなどのゲートウェイ障害から復旧したときに、ゲートウェイ障害前の正常な状態に円滑に移行することができる。
【００２８】
＜第２の実施形態＞
図５は、本実施形態に係る通信システム２００の概略構成を示す図である。この通信システム２００は、第１の実施形態で示した通信システム１００の変形例であり、第３のエリアＣのＢＳ７を集約する第３無線通信ゲートウェイ群１７を備え、第３無線通信ゲートウェイ群１７には複数の第３無線通信ゲートウェイ装置１８が備わる。第３無線通信ゲートウェイ装置１８の構成及び機能は、第１の実施形態で示した無線通信ゲートウェイ１０と同様であり、ＥＭＳ８やＢＳ７も第１の実施形態と同様であり構成及び機能については説明を省略し、ゲートウェイ障害発生時の処理について説明する。
【００２９】
図６は、第２無線通信ゲートウェイ群１５に異常が発生したときにＢＳ７のゲートウェイを変更する処理に関するフローチャートである。第１の実施形態と異なる処理は、異常判断部８３は第２無線通信ゲートウェイ群１５を収容する局舎に電源ダウンなどの異常が発生していると判断する（Ｓ２６）以降の処理である。よって、ここでは以降の処理について説明する。Ｓ２６のステップで異常が発生していると判断されると、迂回経路提示部８６は、正常に稼働中の第１無線通信ゲートウェイ装置１４及び第３無線通信ゲートウェイ装置１８のＣＰＵ稼働率を取得し（Ｓ３１）、ＣＰＵ稼働率の最も低いゲートウェイを迂回経路として提示する（Ｓ３２）。この迂回経路の提示は、第１の実施形態と同様に、「承認する」、「承認しない」、「変更する」のいずれを選択可能に提示し、最終的にオペレータから指示された経路を取得する（Ｓ３３）。ここでは、第３無線通信ゲートウェイ装置１８が迂回経路として指示されたものとする。
【００３０】
つづいて、ＥＭＳ８の宛先設定部８４は、ＢＳ７に対して第２無線通信ゲートウェイ群１５の第２無線通信ゲートウェイ装置１６の代わりに、第３無線通信ゲートウェイ群１７の第３無線通信ゲートウェイ装置１８に対して宛先であるゲートウェイを設定するように指示し、つづいて、再起動指示部８５がＢＳ７に対して再起動を指示する（Ｓ３４）。同時に、通信中断通知部８７は、宛先であるゲートウェイを変更する第２のエリアのＢＳ７を経由してデータ送信中のＭＳ９に対して通信中断を通知する（Ｓ３５）。
【００３１】
このように、ゲートウェイが増えた場合であっても、局舎の電源ダウンなどの異常に効果的に対応することができる。なお、復旧時の処理については、第１の実施形態と同様の処理で実現できるので説明は省略する。また、Ｓ３２のステップにおいて、取得したＣＰＵ稼働率のいずれもが所定の稼働率を超えている場合に、さらに、ゲートウェイを構成している無線通信ゲートウェイ１０のＣＰＵカード２ごとにＣＰＵ稼働率を取得し、稼働率の低いＣＰＵカード２に迂回経路として機能させてもよい。
【００３２】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。第２のエリアＢの配下のＢＳ７を、二つのグループに分割し、分割したＢＳ７を第１のエリアＡの第１無線通信ゲートウェイ１４と、第３のエリアＣの第３無線通信ゲートウェイ１８に分けて切り替えてもよい。
【００３３】
そして、上述の実施形態の特徴を簡単にまとめると以下の通りである。
無線端末（９）と通信する複数の無線基地局（７）及び当該無線基地局（７）のゲートウェイとして機能する複数のゲートウェイ装置（１４，１６，１８）を監視する通信管理装置（８）であって、前記無線基地局（７）及び前記ゲートウェイ装置のヘルスチェックを実行するヘルスチェック処理手段（８１、８２）と、前記ヘルスチェックの結果、前記ゲートウェイ装置に異常が発生したと推定されるときに、前記ゲートウェイ装置（１４，１６，１８）に集約されている前記無線基地局（７）のヘルスチェックを実行して、前記無線基地局（７）からの応答があった場合に、前記ゲートウェイ装置（１４，１６，１８）に異常が発生していると判断する異常判断手段（８３）と、を備えている。
また、前記異常が発生した前記ゲートウェイ装置（１４，１６，１８）に集約されていた前記無線基地局（７）のゲートウェイを、正常なゲートウェイ装置（１４，１６，１８）に切り替えるよう、前記無線基地局（７）に指示する再設定指示手段（８４〜８６）を備える。
前記再設定指示手段（８４〜８６）は、いずれかの前記ゲートウェイ装置（１４，１６，１８）に異常が発生したときに、正常なゲートウェイ装置（１４，１６，１８）のＣＰＵ稼働率を取得し、前記異常が発生しているゲートウェイ装置（１４，１６，１８）に集約されていた無線基地局（７）に対して、前記ＣＰＵ稼働率が低いゲートウェイ装置（１４，１６，１８）にゲートウェイを設定するように指示する。
また、無線端末（９）と通信する複数の無線基地局（７）及び当該無線基地局（７）のゲートウェイとして機能する複数のゲートウェイ装置（１４，１６，１８）を監視する通信管理装置（８）とを備える通信システム（１００、２００）を構成している。そして、前記無線基地局（７）は複数にグループ分けされており、グループごとに前記ゲートウェイ装置（１４、１６、１８）がゲートウェイとして設定されている。さらに、前記通信管理装置（８）は、前記無線基地局（７）及び前記ゲートウェイ装置（１４、１６、１８）のヘルスチェックを実行するヘルスチェック処理手段（８１、８２）と、前記ヘルスチェックの結果、一つの前記グループ内の全ての前記ゲートウェイ装置（１４、１６、１８）から応答が無い場合に、前記ゲートウェイ装置（１４、１６、１８）に集約されている前記無線基地局（７）のヘルスチェックを実行して、前記無線基地局（７）からの応答があった場合に、前記ゲートウェイ装置（１４、１６、１８）が属するグループに異常が発生していると判断する異常判断手段（８３）と、を備える。
【図面の簡単な説明】
【００３４】
【図１】第１の実施形態に係る、通信システムの構成図である。
【図２】第１の実施形態に係る、ＥＭＳの機能ブロックに着目して示す通信システムの構成図である。
【図３】第１の実施形態に係る、無線通信ゲートウェイに異常が発生したときの処理を示すフローチャートである。
【図４】第１の実施形態に係る、無線通信ゲートウェイの異常が回復したときの処理を示すフローチャートである。
【図５】第２の実施形態に係る、ＥＭＳの機能ブロックに着目して示す通信システムの構成図である。
【図６】第２の実施形態に係る、無線通信ゲートウェイに異常が発生したときの処理を示すフローチャートである。
【符号の説明】
【００３５】
１  スイッチカード
２  ＣＰＵカード
３  管理カード
４  電源
７  ＢＳ
８  ＥＭＳ
１０  無線通信ゲートウェイ
１３  第１無線通信ゲートウェイ群
１４  第１無線通信ゲートウェイ装置
１５  第２無線通信ゲートウェイ群
１６  第２無線通信ゲートウェイ装置
１７  第３無線通信ゲートウェイ群
１８  第３無線通信ゲートウェイ装置
８１  ＧＷヘルスチェック部
８２  ＢＳヘルスチェック部
８３  異常判断部
８４  宛先設定部
８５  再起動指示部
８６  迂回経路提示部
８７  通信中断通知部
１００、２００  通信システム
【図１】
2010157888.tif 000003
【図２】
2010157888.tif 000004
【図３】
2010157888.tif 000005
【図４】
2010157888.tif 000006
【図５】
2010157888.tif 000007
【図６】
2010157888.tif 000008